(57)【特許請求の範囲】
【請求項１】
収納部の内側面と棚板の側端面との間に位置して、これらの間に隙間を形成する隙間形成部と、
前記隙間形成部の一側面に設けられ、前記内側面に形成されたダボ穴に嵌入するダボ突起部と、
前記隙間形成部の他側面に設けられ、棚板の側端部が保持される棚板保持部と
を備え、
前記棚板保持部は、
棚板が載置される棚板載置部と、
棚板載置部よりも上方に位置する隙間形成部の他側面からなり、上記棚板の側端面に近接対向する棚板対向面と、
前記棚板載置部に載置された棚板の上面よりも上方に設けられると共に該棚板の上面に当接又は近接対向する抜け止め突部と
を有しており、
前記棚板対向面の上部で且つ前記抜け止め突部の下方に隣接する箇所には、前記棚板の側端面側に突出し且つ抜け止め突部よりも突出長さの小さい膨出部が設けられ、
この膨出部は、前記棚板の厚み方向における中心位置よりも上側に当接し、これにより膨出部の下方における前記棚板の側端面と前記棚板対向面との間に隙間を形成するものである
ことを特徴とする棚受用ダボ。
【請求項２】
前記ダボ突起部が、上下に並設された複数の突起からなる請求項１記載の棚受用ダボ。
【発明の詳細な説明】
【技術分野】
【０００１】
本発明は、収納棚の棚板を取り付ける棚受用ダボに関するものである。
【背景技術】
【０００２】
従来から、収納棚の収納部の内側面に取り付けられて棚板を受ける棚受用ダボとして、例えば特許文献１により示されたものが知られている。
【０００３】
この特許文献１に示された棚受用ダボは、断面略逆Ｌ字形状をしたものであり、側方の面にダボ突起部が突設され、このダボ突起部を収納部の内側面に穿設されたダボ孔に嵌入することで取り付けられる。収納部の内側面に取り付けられた状態の棚受用ダボは、側方の面が収納部の内側面に面状に当接しており、この当接面と直交した上面（当接した部分から収納部内方に臨んだ先端部までの面）が棚板を載置する棚板載置部となっている。
【０００４】
このような棚受用ダボが取り付けられる収納棚として、例えば特許文献２に示されたものが挙げられる。
【０００５】
この特許文献２に示された収納棚は、前面に開口を有する収納部が収納体に設けられており、この収納部の開口下縁に枢支された扉体により該収納部の開口が開閉自在に閉塞されるようになっている。この扉体と収納部の内側面とはステー部材により連結されている。
【０００６】
このステー部材は例えば次のように動作する。ステー部材は、扉体を閉じると、収納部の内側面に接続された部分を中心として回動しながら、同時に中間部分で折りたたまれ、その中間部分が収納部の内側面に沿って移動する。一方、扉体を開くと、収納部の内側面の接続部分を中心として回動しながら、同時に折りたたまれた中間部が伸張してゆき、扉体が開ききった状態で直線状となる。
【０００７】
収納部の内側面には、互いに対向するようにして上記構成の棚受用ダボが取り付けられており、この棚受用ダボに架設するようにして棚板が設置される。
【０００８】
棚受用ダボの棚板載置部に棚板を載設するに当たり、通常、棚板は、収納部の対向する内側面間の略全長に亙る長さのものが用いられるため、両側端面が収納部の対向する内側面にそれぞれ当接（又は近接対向）するようにして設置される。
【先行技術文献】
【特許文献】
【０００９】
【特許文献１】特開平８−１２６５３０号公報
【特許文献２】特開平８−１３５０５８号公報
【発明の概要】
【発明が解決しようとする課題】
【００１０】
ところで、このような棚受用ダボを用いた収納棚に上記のような棚板が設置されると、ステー部材の移動範囲と棚板とが重なることがあるため、この場合、ステー部材と棚板とが干渉してしまうおそれがあるものとなる。
【００１１】
ここで、棚板におけるステー部材の移動範囲と棚板との重なる部分を切り欠くことで、この問題を回避することが考えられる。
【００１２】
ところが、このようにステー部材との干渉を避けるように棚板の一部に切り欠きを形成する場合、既に形成された棚板に追加的に加工を施す必要があるため、棚板を生産するに当たり、単に矩形状の棚板を成形する場合と比較して生産性が悪いという問題があった。
【００１３】
本発明は、上記事情に鑑みてなされたものであり、その目的とするところは、収納部の内側面と収納部を閉塞する扉体とを連結するステー部材を有する収納棚に取り付けられたとしても、棚板に追加的に複雑な加工を施さずに棚板とステー部材との干渉を防ぐことができる棚受用ダボを提供することにある。
【課題を解決するための手段】
【００１４】
上記課題を解決するために本発明の棚受用ダボは以下の構成を有する。
【００１５】
すなわち、請求項１に係る本発明の棚受用ダボ４は、収納部２の内側面３と棚板１１の側端面との間に位置して、これらの間に隙間を形成する隙間形成部４０と、隙間形成部４０の一側面に設けられ、前記内側面３に形成されたダボ穴１２に嵌入するダボ突起部４１と、隙間形成部４０の他側面に設けられ、棚板１１の側端部が保持される棚板保持部６８とを備えている。棚板保持部６８は、棚板１１が載置される棚板載置部４２と、棚板載置部４２よりも上方に位置する隙間形成部４０の他側面からなり、上記棚板１１の側端面に近接対向する棚板対向面４３と、棚板載置部４２に載置された棚板１１の上面よりも上方に設けられると共に該棚板１１の上面に当接又は近接対向する抜け止め突部４４とを有している。棚板対向面４３の上部で且つ抜け止め突部４４の下方に隣接する箇所には、棚板１１の側端面側に突出し且つ抜け止め突部４４よりも突出長さの小さい膨出部４５が設けられている。この膨出部４５は、棚板１１の厚み方向における中心位置よりも上側に当接し、これにより膨出部４５の下方における棚板１１の側端面と棚板対向面４３との間に隙間を形成するものである。
【００１６】
このような棚受用ダボ４を用いると、棚板載置部４２に載置された棚板１１は、その側端部が棚板対向面４３に当接又は近接対向し、収納部２の内側面３との間に隙間形成部４０を介在した状態で設置される。これにより、棚板１１の側端面と収納部２の内側面３との間にスペース９が形成される。一方、収納棚の扉体７を開閉させると、収納部２の内側面３と扉体７とを相互に連結するステー部材８が変形しながら移動するが、上記のように棚受用ダボ４により棚板１１の側端面と収納部２の内側面３との間にスペース９が形成されており、このスペース９内でステー部材８が変形・移動するため、棚板１１とステー部材８とが干渉してしまうのが防止される。しかもこのスペース９は、棚受用ダボ４の隙間形成部４０を収納部２の内側面と棚板１１との間に介在させるだけで形成できるため、棚板１１に追加的に複雑な加工を施さなくても形成され、棚板１１の生産性が損なわれにくくなる。
【００１８】
また、このような棚受用ダボ４を用いると、棚板載置部４２に載置された棚板１１が下方から上方へ力を受けても、棚板１１の上面に抜け止め突部４４が当接して、上方への移動が規制される。これにより、例えば、収納棚が上下に振動しても棚板１１が上下にバタつかないようにでき、また、不意に棚板１１に対して下方から上方に衝撃を与えてしまったとしても、棚板１１が浮き上がってはずれてしまうのが防止される。
【００２０】
また、収納部２の対向する内側面３の少なくとも一方に本発明の棚受用ダボ４を取り付け、棚板１１の一方の側端面を棚受用ダボ４の膨出部４５にあてがい、他方の側端部を上方から下方に向けて回動させると、膨出部４５が棚板１１の側端面側に向けて突出しているため、膨出部４５は、棚板１１の回動時の支点となって、棚板１１の設置を容易にさせる。
【００２１】
しかも棚受用ダボ４を用いると、棚板対向面４３と棚板１１の側端面との対向部分の大部分を隙間としつつ、膨出部４５のみを棚板１１の側端面に当接することが可能となるため、棚板１１の設置しやすさを向上させつつ、棚板１１の左右方向のガタつきを防ぐことが可能となる。
【００２２】
また、本発明の棚受用ダボ４のダボ突起部４１が、上下に並設された複数の突起４１ａ，４１ｂからなるのが好ましい。
【００２３】
棚受用ダボ４を設置するに当たって、複数の突起４１ａ，４１ｂをそれぞれダボ穴１２に嵌入すれば、棚受用ダボ４が取り付け面上で回転してしまうのを防ぐことができる。
【発明の効果】
【００２４】
本願発明によれば、収納部の内側面と収納部を閉塞する扉体とを連結するステー部材を有する収納部に本発明の棚受用ダボが取り付けられることで、棚板に追加的に複雑な加工を施さずに棚板とステー部材との干渉を防ぐことができる。
【図面の簡単な説明】
【００２５】
【図１】本発明の一実施形態の棚受用ダボを説明するための図であり（ａ）は上面図であり（ｂ）は正面図であり（ｃ）は側面図である。
【図２】図１中のＡ部分の詳細図である。
【図３】本実施形態の収納棚の全体斜視図である。
【図４】同上の下収納体本体の分解斜視図である。
【図５】同上の下収納体の斜視図である。
【図６】同上の収納部の要部斜視図である。
【図７】同上の嵌込みダボの斜視図である。
【図８】同上の嵌込みダボの設置状態を説明する要部断面図である。
【図９】同上の棚板を取り付ける直前の状態を示す斜視図である。
【図１０】同上のステー部材の斜視図である。
【図１１】他の実施形態を説明するための要部正面図である。
【発明を実施するための形態】
【００２６】
以下、本発明の実施形態について添付図面に基づいて説明する。
【００２７】
本実施形態の棚受用ダボは、図１に示されており、収納棚の収納部の内側面に取り外し自在に取り付けられている。
【００２８】
本実施形態の収納棚は、図３に示されるように、収納棚の主体を構成する収納体１と、収納体１に設けられ前面が開口部となる収納部２と、収納部２の開口部の開口下縁部５に沿った回動中心部６を有し該開口を閉塞する扉体７と、収納部２の内側面３と扉体７とを相互に連結するステー部材８（図５等参照）とを備えている。
【００２９】
収納体１は、図３に示されるように、上収納体４７と中央収納体４８と下収納体４９とが上から順に連結されて構成されている。上収納体４７は、前面が開口した箱状の上収納体本体５０ａで主体が構成されており、上収納体本体５０ａの内部を縦板５０ｂと横板５０ｃとで区画して形成された複数の収納部５０ｄを有している。中央収納体４８は、前面が開口した箱状の収納部５１を有しており、この収納部５１には例えば薄型テレビが収納される。下収納体４９は、前面が開口した箱状の下収納体本体５２で主体が構成されており、下収納体本体５２の内部を中仕切り板５３で区画して形成された複数の収納部２を有している。
【００３０】
この下収納体本体５２は、図４に示されるように、矩形状の地板５６の長手方向の両端部から対向する一対の側板５４が立設されると共に、地板５６の中央から側板５４に平行な中仕切り板５３が立設され、これら側板５４及び中仕切り板５３の後端に裏板５５が立設され、側板５４及び中仕切り板５３及び裏板５５の上端に天板５７が載設されて構成されている。この側板５４と中仕切り板５３と地板５６と天板５７と裏板５５とに囲まれる部分がそれぞれ収納部２となっており、図５などに示されるように、本実施形態の下収納体４９における収納部２は、左右に２つ並設されている。
【００３１】
下収納体本体５２の各収納部２には対向する内側面３（つまり側板５４及び中仕切り板５３）に複数のダボ穴１２が穿設されている。このダボ穴１２は、上下方向に所定の間隔ごとに複数設けられており、後述の棚受用ダボ４のダボ突起部４１が嵌入する。複数のダボ穴１２のうち、所望のダボ穴１２を選択することで、所望の高さに棚受用ダボ４を取り付けることができる。
【００３２】
この収納部２の対向する内側面３間には、棚受用ダボ４を介して棚板１１が取り外し自在に架設されている。図５に示されるように、収納部２の対向する内側面３のうち一方の内側面３にステー部材８が取り付けられており、図６のように、そのステー部材８が取り付けられた側の内側面３に棚受用ダボ４としてのステー用ダボ５９が取り付けられている。他方、このステー用ダボ５９が取り付けられた内側面３に対向する内側面３には、ステー部材８が取り付けられておらず、棚受用ダボ４としての嵌込みダボ５８が取り付けられている。このステー用ダボ５９が位置する側の棚板１１の側端面には、収納部２の内側面３との間に、後述のステー部材８を挿通可能とするスペース９が形成されている（図５参照）。
【００３３】
ステー用ダボ５９（棚受用ダボ４）は、図１に示されるように、収納部２の内側面３と棚板１１の端面との間に位置する隙間形成部４０と、収納部２の内側面３に穿設されたダボ穴１２に嵌入するダボ突起部４１と、棚板１１の側端部が保持される棚板保持部６８とを備え、これらが一体となった構成となっている。ステー用ダボ５９の下部は、下方ほど厚みを薄くするような側面視略逆三角形状となっており、正面視では下方ほどダボ突起部４１が設けられた面に近づくようになっている。このステー用ダボ５９の大部分（詳しくはダボ突起部４１以外）は、例えばポリプロピレン等の硬質樹脂材料で形成されている。
【００３４】
隙間形成部４０は、収納部２の内側面３と棚板１１の側端面との間に位置することで前記内側面３と棚板１１の側端面との間に隙間（スペース９）を形成するための部分であり、ステー用ダボ５９の上部を構成している。この隙間形成部４０の左右方向の長さｂは、ステー部材８が回動しても棚板１１に干渉しないような（つまりステー部材８の回動を許容する幅を有する）スペース９を、棚板１１の側端面と収納部２の内側面３との間に形成できる寸法となっており、具体的には３０ｍｍ程度の寸法となっている。
【００３５】
ダボ突起部４１は、隙間形成部４０における収納部２の内側面３に面状に当接する鉛直な面（以下、内側面当接部６６という）に設けられており、上下に並設された複数の突起４１ａ，４１ｂ（本実施形態においては２つの突起）から構成されている。ダボ突起部４１の２つの突起のうち上方の突起４１ａは、棚板載置部４２に載置された棚板１１と略同高さに位置しており、特に、棚板１１の厚み方向の略中央と略同じ高さ位置に形成されている。なお、本実施形態のダボ突起部４１はカーボンスチール又はステンレス等の金属類、あるいは硬質樹脂材料等により構成されている。
【００３６】
棚板保持部６８は、棚板１１の側端部が載置される棚板載置部４２と、棚板対向面４３と、棚板対向面４３の上端に突設された抜け止め突部４４とを備えている。
【００３７】
棚板載置部４２は、隙間形成部４０における内側面当接部６６とは反対側の面から突設されており、棚板１１が載置可能な水平面を有している。棚板対向面４３は、隙間形成部４０の棚板載置部４２側の面であって棚板載置部４２よりも上方に位置する部位からなり、棚板載置部４２の水平面に対して略直交している。抜け止め突部４４は、棚板載置部４２に載置された棚板１１の上面よりも上方に設けられ、下面が棚板１１の上面と当接又は近接対向するようになっている。また、抜け止め突部４４の上角部は先端ほど下方に位置する傾斜面６０（又は凸曲面）となっている。この傾斜面６０により、抜け止め突部４４に棚板１１の端部が上方から当接しても、棚板１１を下方に押し込むことで抜け止め突部４４を容易に弾性変形させることができ、棚板１１を所定の位置に設置することも可能となる。
【００３８】
また、棚板対向面４３は、隙間形成部４０の棚板対向面４３の上部で且つ抜け止め突部４４の下方（本実施形態では、抜け止め突部４４に隣接している）に、抜け止め突部４４よりも突出長さの小さい膨出部４５を有している。この膨出部４５は、棚板１１の端面にほぼ当接するようになっており、棚板１１の側端面に当接すると膨出部４５の下方に隙間４６が形成されるようになっている。また膨出部４５は、図２に示されるように、棚板対向面４３から突出した部分が断面アーチ状となっており、表面が円弧面となっている。またこの膨出部４５は棚板対向面４３に対して直角な方向に弾性変形可能となっている。
【００３９】
嵌込みダボ５８（棚受用ダボ４）は、図７及び図８に示されるように、収納部２の内側面３に取り付けられる取付体１３と、棚板１１の側端部を支持する支持体１５とからなる。支持体１５は一体成形された合成樹脂成形品からなり、支持体１５の材料としては例えばポリプロピレンが挙げられる。支持体１５の収納部２の内側面３側の側面は鉛直な当接面２２となっている。
【００４０】
支持体１５は、棚板１１の側端部に形成された嵌込溝１６に嵌め込まれる嵌込部１７、嵌込部１７の下方に位置する蓋部１８、及び嵌込部１７と蓋部１８を接続する接続部２０とで構成されている。
【００４１】
嵌込部１７は、上方程漸次前後幅が小さくなるように傾斜したテーパー面を有している。また、嵌込部１７の当接面２２には内側面３側に開口する円形の保持穴２３が形成されている。保持穴２３には丸棒からなる取付体１３の一端側が保持されており、取付体１３の他端側は、嵌込部１７から内側面３側に突出する嵌入部２７となっている。嵌め込みダボ５８を取り付けるには、この嵌入部２７を収納部２の内側面３に設けられたダボ穴１２に嵌入するようして行なう。なお、取付体１３の材料としては金属、合成樹脂、木材等が用いられる。
【００４２】
蓋部１８はその外縁部が嵌込部１７よりも外側に突出した鍔状に形成され、底面視で嵌込溝１６の下開口よりも大きくなっている。
【００４３】
このような構成の棚受用ダボ４には、図９等に示されるように、棚板１１が取り外し自在に載設される。
【００４４】
棚板１１は、平面視矩形状の板材にて構成されており、その長手方向の寸法が収納部２の対向する内側面３間の寸法よりも小さく形成されている。詳しくは、ステー用ダボ５９により形成される棚板１１の側端面と収納部２の内側面３との間のスペース９分だけ、棚板１１の長手方向の寸法が収納部２の内側面３間の寸法よりも小さく形成される。また、棚板１１の前端面は、収納部２の前端面と略面一となるように形成されている。本実施形態の棚板１１の嵌込みダボ５８側の側端部には、嵌込みダボ５８の嵌込部１７が嵌め込まれる嵌込溝１６が形成されている。
【００４５】
収納部２の対向する内側面３のうち、ステー部材８が取り付けられている側の内側面３には２つのステー用ダボ５９が前後方向に離間して取り付けられ、その他方に２つの嵌込みダボ５８が前後方向に離間して取り付けられる。前側のステー用ダボ５９と前側の嵌込みダボ５８は、その前端が収納部２の開口の前端面から後方に入った部位に位置しており、前方に空所を有している。棚受用ダボ４はすべて同高さ位置となるように取り付けられており、具体的には、同じ高さに設けられた各部のダボ穴１２に、ステー用ダボ５９のダボ突起部４１の上方の突起４１ａと、嵌込みダボ５８の丸棒からなる取付体１３とがそれぞれ取り付けられる。
【００４６】
棚受用ダボ４がそれぞれ取り付けられた状態で棚板１１を設置する。以下においては、正面視左側に嵌込みダボ５８が取り付けられると共に、正面視右側にステー用ダボ５９が取り付けられた設置状態に応じて取り付け方法を説明する。
【００４７】
図９に示されるように、棚板１１を左端を上に且つ右端を下になるように傾斜させた状態のまま、棚板１１の右端の奥部を棚板保持部６８（詳しくは、棚板載置部４２と棚板対向面４３と抜け止め突部４４に囲まれた部分）に差し込む。そして、この棚板１１の傾斜状態を保ったまま、前方から後方に向けてスライド移動させる（図９に示された状態）。このとき、棚板１１の側端面はステー用ダボ５９の膨出部４５と当接している。次に、この棚板１１の側端面とステー用ダボ５９の膨出部４５との当接部分を中心として、棚板１１の左側の端部を上方から下方に向けて回動させる。このとき、膨出部４５は断面アーチ状となっているため、棚板１１のスムーズな回動を得ることができる。棚板１１を上記のように回動させると、回動側（上下に移動する側）の端部が嵌込みダボ５８の嵌込部１７に当接するが、そのまま下方に押し込むことで、棚板１１の嵌込溝１６に嵌込みダボ５８の嵌込部１７が嵌め込まれ、これにより棚受用ダボ４への棚板１１の設置が完了する。
【００４８】
このようにステー用ダボ５９により取り付けられた部分において、棚板載置部４２に載置された棚板１１は、その側端部が棚板対向面４３に当接又は近接対向し、収納部２の内側面３との間に隙間形成部４０を介在した状態で設置される。これにより、棚板１１の側端面の略全長部分と収納部２の内側面３との間にスペース９が形成された状態を保ったまま、棚板１１の左右方向への移動が規制され、左右方向にガタつくのが防止される。その上、ステー用ダボ５９が取り付けられた部分において、この棚板載置部４２に載置された棚板１１が下方から上方へ力を受けても、棚板１１の上面に抜け止め突部４４が当接して、上方への移動が規制される。これにより、例えば、収納棚が上下に振動しても棚板１１が上下にバタつかないようにでき、また、不意に棚板１１に対して下方から上方に衝撃を与えてしまったとしても、棚板１１が浮き上がってはずれてしまうのが防止される。
【００４９】
しかもステー用ダボ５９のダボ突起部４１は上下に並設された複数の突起４１ａ，４１ｂにて構成されているため、棚受用ダボ４を設置するに当たって、複数の突起４１ａ，４１ｂをそれぞれダボ穴１２に嵌入すれば、棚受用ダボ４が取り付け面上で回転してしまうのを防ぐことができる。
【００５０】
他方、棚板１１が取り付けられた状態の嵌込みダボ５８は、嵌込部１７が前後方向に圧縮された状態となるため、棚板１１を嵌込部１７に対して強固に固定することができる。また、図８に示されるように、蓋部１８によって嵌込溝１６及びこれに嵌め込まれた嵌込部１７が下方から覆われるため、棚板１１を下側から見たときに嵌込溝１６や嵌込部１７が露出せず、見栄えが良い。
【００５１】
このような構成の収納部２には、その前面の開口下縁部５に扉体７が開閉自在に取り付けられている。
【００５２】
扉体７は、図５に示されるように、正面視矩形状の板材で構成されており、左右に並設される収納部２にそれぞれ取り付けられている。また扉体７は、収納部２の開口下縁部５に蝶番６１を介して取り付けられており、収納部２の開口下縁部５を回動中心部６として回動自在とされている。この扉体７の内面であって長手方向の一方の端部で且つ短手方向の略中央には、ステー部材８の一端と連結するステー連結部６２が取り付けられている。このステー連結部６２に連結されたステー部材８を介して扉体７と収納部２の内側面３とが連結されている。
【００５３】
ステー部材８は、一般的に用いられる周知のステー部材８が取り付けられている。例えば図１０に示されるステー部材８は、棚板１１の下方で且つ収納部２の内側面３に固設される取付部６３と、取付部６３に回動自在に軸支されると共に中央部６４で折りたたみ可能となった腕部６５とを有しており、この腕部６５の取付部６３とは反対側の先端が前記ステー連結部６２に回動自在に連結される。取付部６３は、ビス等の固着具を介して収納部２の内側面３に固設されるようになっており、腕部６５を回動自在に支承する。本実施形態の取付部６３は、収納部２の内側面３のダボ穴１２を利用して取り付けられている。腕部６５は、中央部６４で下方側に突屈するように折り畳み可能となっており、扉体７を閉塞すると、ステー連結部６２に連結した先端側が腕部６５の中央部６４を中心として上方に移動しながら、折屈した中央部６４が取付部６３を中心として下方に移動するような構造となっている。このステー部材８は、収納部２の内側面３に沿った動きをし、扉体７が閉じられた状態でステー連結部６２に連結された先端が棚板１１の上方に位置する。
【００５４】
ここで、上述したように収納部２の内側面３と棚板１１の側端面の全長部分との間には、スペース９が形成されているため、扉体７の開閉動作に伴ってステー部材８が動作したとしても、このスペース９の範囲内でステー部材８が移動する。特に、本実施形態のステー部材８は、前側の棚受用ダボ４よりも前方のスペース９内で移動する。つまり、収納棚の扉体７を開閉させると、収納部２の内側面３と扉体７とを相互に連結するステー部材８が変形しながら移動するが、棚受用ダボ４により棚板１１の端面の全長部分と収納部２の内側面３との間にスペース９が形成されており、このスペース９内でステー部材８が移動するため、棚板１１とステー部材８とが干渉してしまうのが防止される。
【００５５】
しかも、このようにステー用ダボ５９により形成されたスペース９は、棚板１１に追加的に複雑な加工を施さなくても形成することができるため、生産性を低下させない。
【００５６】
また、棚受用ダボ４としてのステー用ダボ５９により形成されたスペース９は、棚板１１の端面全長に亙って形成されるため、例えば、棚板１１上に載置された電気機器の配線を該スペース９に挿通して、収納部２の奥側において配線することも可能である。
【００５７】
次に、他の実施形態について図１１に基づいて説明する。なお、本実施形態は図１乃至図１０に示された実施形態と大部分において同じであるため、同じ部分においては同符号を付して説明を省略し、主に異なる部分について説明する。
【００５８】
本実施形態の収納棚は、収納部２の対向する両内側面３にステー部材８が取り付けられると共に、収納部２の対向する両内側面３に棚受用ダボ４としてステー用ダボ５９が取り付けられている。
【００５９】
このような収納棚において、取り付けられたステー用ダボ５９に棚板１１を設置するには、棚板１１を略水平状態に保ったまま、棚板１１の後端をステー用ダボ５９の棚板保持部６８（詳しくは、棚板載置部４２と棚板対向面４３と抜け止め突部４４とで囲まれた部分）に向けて、前方から後方に向けてスライド移動させる。
【００６０】
このような構成によれば、棚板１１をスライド移動させるに当たり、棚板１１の側端面と棚板対向面４３との接触する部分を膨出部４５の頂部のみとすることができる。この結果、ステー用ダボ５９と棚板１１の側端面との間の摩擦抵抗が、棚板１１の側端面と棚板対向面４３とが面状に当接する場合に比べて大きく低減するので、設置しやすいものとなる。
【００６１】
さらにこのステー用ダボ５９を用いると、棚板対向面４３と棚板１１の端面とを近接対向させて棚板対向面４３と棚板１１の端面との間に僅かに隙間を形成し、棚板１１の設置しやすさを向上させても、膨出部４５を棚板１１の側端部に当接することが可能となる。このため、棚板１１の設置しやすさを向上させつつ、棚板１１の左右方向のガタつきを防ぐことが可能となる。
【００６２】
なお、上記各実施形態における扉体７は、収納部２の開口下縁部５に沿った回動中心部６を有していたが、本発明の扉体７は、収納部２の開口上縁部に沿った回動中心部６を有し、その回動中心部６を中心として収納部２の開口部を開閉自在に設けられたものであってもよい。
【００６３】
また、上記各実施形態におけるステー部材８は、中央部６４で折り畳まれるように折屈するような構成となっていたが、本発明のステー部材８は、例えば外筒の中に内筒がスライド自在に挿入され伸縮自在とされた構成のものであってもよく、従来周知のステー部材を適宜使用することが可能である。
【符号の説明】
【００６４】
２      収納部
３      内側面
４      棚受用ダボ
１１    棚板
１２    ダボ穴
４０    隙間形成部
４１    ダボ突起部
４１ａ  突起
４１ｂ  突起
４２    棚板載置部
４３    棚板対向面
４４    抜け止め突部
４５    膨出部
５９    ステー用ダボ
６６    内側面当接部
６８    棚板保持部
【図１】
0005507964.tif 000002
【図２】
0005507964.tif 000003
【図３】
0005507964.tif 000004
【図４】
0005507964.tif 000005
【図５】
0005507964.tif 000006
【図６】
0005507964.tif 000007
【図７】
0005507964.tif 000008
【図８】
0005507964.tif 000009
【図９】
0005507964.tif 000010
【図１０】
0005507964.tif 000011
【図１１】
0005507964.tif 000012